(57)【要約】【課題】  チェーンストアグループに属する店舗において、チェーンストアグループの本部が生成した商品の陳列を推奨する位置を特定する情報を簡単な作業で表示する。【解決手段】  チェーンストアグループの本部は、ＲＦＩＤタグ２０２に商品の陳列を推奨する位置を特定する情報である商品推奨陳列位置情報を記憶させ、プライスカードに付随させて商品とともに各店舗に送付する。各店舗はＲＦＩＤタグ２０２が記憶している商品推奨陳列位置情報を読み込んで、チェーンストアグループの本部が推奨する商品の陳列位置を特定し、特定した位置に商品を陳列する。【選択図】  図１
2005112530.tif 000002
【特許請求の範囲】
【請求項１】
商品の陳列を推奨する位置である商品推奨陳列位置を特定する情報である商品推奨陳列位置情報を記憶する商品情報表示記憶手段と、
前記商品情報表示記憶手段が記憶している商品推奨陳列位置情報を読み出す商品情報読出手段と、
前記商品情報読出手段が読み出した商品推奨陳列位置情報を表示する商品推奨陳列位置表示手段と
を備えたことを特徴とする商品推奨陳列位置表示システム。
【請求項２】
商品情報表示記憶手段は、一の商品に対応する複数の商品推奨陳列位置情報を記憶する
請求項１記載の商品推奨陳列位置表示システム。
【請求項３】
商品情報表示記憶手段が記憶する商品推奨陳列位置情報は、商品の陳列を推奨しない位置を特定する情報を含む
請求項１または請求項２記載の商品推奨陳列位置表示システム。
【請求項４】
商品情報表示記憶手段は、商品の名前と価格との情報である商品情報を表示するプライスカードと、商品推奨陳列位置情報を記憶するＲＦＩＤタグとを含む
請求項１から請求項３のうちいずれか１項記載の商品推奨陳列位置表示システム。
【請求項５】
商品情報読出手段はＲＦＩＤタグが送信する情報を受信する機能を有する
請求項４記載の商品推奨陳列位置表示システム。
【請求項６】
プライスカードは、書き換え式リライトカードである
請求項４または請求項５記載の商品推奨陳列位置表示システム。
【請求項７】
商品推奨陳列位置表示手段は、店舗の入り口の位置と精算機の位置と商品陳列棚の位置とを含む店舗内図を予め記憶し、商品情報読出手段が読み出した商品推奨陳列位置情報にもとづいて、商品推奨陳列位置を、前記店舗内図において他の陳列位置と表示態様を変えて表示する
請求項１から請求項６のうちいずれか１項記載の商品推奨陳列位置表示システム。
【請求項８】
商品の陳列位置と販売実績との関係にもとづいて商品を多く販売することができる陳列位置を特定し、特定した陳列位置を商品の陳列を推奨する陳列位置として商品推奨陳列位置情報を生成する商品推奨陳列位置情報生成手段を備える
請求項１から請求項７のうちいずれか１項記載の商品推奨陳列位置表示システム。
【請求項９】
商品の陳列を推奨する位置である商品推奨陳列位置を特定する情報である商品推奨陳列位置情報を記憶媒体に記憶させ、
前記記憶媒体が記憶している商品推奨陳列位置情報を読み出し、
読み出した商品推奨陳列位置情報を表示する
ことを特徴とする商品推奨陳列位置表示方法。
【請求項１０】
商品の陳列を推奨する位置である商品推奨陳列位置を特定する情報である商品推奨陳列位置情報を表示手段に表示させる商品推奨陳列位置表示プログラムであって、
コンピュータに、
記憶手段が記憶している前記商品推奨陳列位置情報を読み出させ、
読み出した前記商品推奨陳列位置情報を前記表示手段に表示させる
ことを特徴とする商品推奨陳列位置表示プログラム。
【発明の詳細な説明】
【技術分野】
【０００１】
本発明は、商品の陳列を推奨する位置を表示する商品推奨陳列位置表示システム、商品推奨陳列位置表示方法、および商品推奨陳列位置表示プログラムに関し、特に、チェーンストアグループに属する店舗において、商品の陳列を推奨する位置をチェーンストアグループの本部が指示することができる商品推奨陳列位置表示システム、商品推奨陳列位置表示方法および商品推奨陳列位置表示プログラムに関する。
【背景技術】
【０００２】
店舗における商品陳列棚において、顧客に商品名や価格を表示するプライスカードと呼ばれるカードが設置されている。プライスカードは、対応する商品が陳列されている商品陳列棚に設置される。図６は、そのようなプライスカードの一例を示す説明図である。図８のプライスカードは、商品名表示部３０１に商品名“○○フーズ  ポテトチップス”が表示され、バーコード３０２に商品コード情報が印刷され、商品価格表示部３０３に価格“８０円”が表示される。店員は、在庫管理や発注作業を行う際に、携帯端末等でバーコード３０２を読み込む。店員は、バーコード３０２を読み込む時に、携帯端末等でプライスカードおよび商品が置かれている商品陳列棚がどこであるかの位置情報を入力すると、各商品が置かれている商品の位置を特定することができる。ここで、店舗がプライスカードを作成してもよいし、店舗が所属するチェーンストアグループの本部がプライスカードを作成し、作成したプライスカードを店舗に送付してもよい。
【０００３】
プライスカードに印刷するバーコード３０２の代わりに、ＲＦＩＤ（Ｒａｄｉｏ  Ｆｒｅｑｕｅｎｃｙ  ＩＤｅｎｔｉｆｉｃａｔｉｏｎ）タグを用いる方法がある。バーコード３０２を用いる場合、バーコード３０２を読み出すバーコードリーダを、一つ一つのバーコード３０２に近づけてバーコード３０２を読み込む。それに対してＲＦＩＤタグを用いる場合、ＲＦＩＤタグの内部に記憶された情報をリアルタイムで複数個同時に読み出すことができる。
【０００４】
ＲＦＩＤタグを用いた従来の商品管理システムの一例が、特許文献１に記載されている。この従来の商品管理システムは、店舗等における複数の区画に保管もしくは陳列された商品と、その商品に装着され、その商品に固有の識別コードを有するＲＦＩＤタグと、ＲＦＩＤタグに識別コードを書き込む登録機と、ＲＦＩＤタグが出力する信号を受信するアンテナと、アンテナと接続されアンテナが受信した信号を読み出す読み出し機とからなる読み出しユニットと、読み出し機が読み取った識別コードを送信する情報管理手段とから構成されている。
【０００５】
このような構成を有する従来の商品管理システムは次のように動作する。まず、登録機を使用して、入荷された商品の識別コードをＲＦＩＤタグに書き込み、各区画に設置された読み出しユニットに個別のアドレスを設定する。そして、識別コードに対応する商品の種類や値段等の商品情報と、読み出しユニットに付されたアドレスに対応する区画名を示す区画情報を情報管理手段の記憶部に記憶させる。
【０００６】
次いで、識別コードが書き込まれたＲＦＩＤタグを商品に装着し、この商品を商品陳列棚（所定区画）に収納する。商品が商品陳列棚に収納されると、商品陳列棚に配設された読み出しユニットによって商品のＲＦＩＤタグの識別コードが読み出され、読み出された識別コードは情報管理手段に送信されて読み出しユニットのアドレスとともに記憶部に記憶される。商品が販売される等して商品陳列棚から移動されると、移動された商品のＲＦＩＤタグの識別コードは商品陳列棚の読み出しユニットで読み出されなくなり、情報管理手段にてどの商品がいつどの読み出しユニットから読み出されなくなったかが判断され、情報管理手段の表示部に表示される。商品管理者は、表示部の表示からどの商品がいつどの商品陳列棚から無くなったかを把握し、現在の在庫状況を確認することができる。
【０００７】
【特許文献１】特開２００１−３１２１８号公報  （第２−４頁、図１）
【発明の開示】
【発明が解決しようとする課題】
【０００８】
しかし、バーコード３０２に各情報を記憶させようとしても、バーコード３０２の記憶容量は少ない。そのため、チェーンストアグループの本部がプライスカードを作成してチェーンストアグループに属する店舗に送付する場合であっても、商品の陳列位置を指示する情報をバーコード３０２に記憶させることはできない。
【０００９】
また、特許文献１に記載のシステムは、店舗の在庫管理に適用することはできるが、ＲＦＩＤタグを用いて商品の陳列位置を指示することはできない。
【００１０】
そこで、本発明は、プライスカードが個々の商品の推奨陳列位置を店舗に提示することができる商品推奨陳列位置表示システム、商品推奨陳列位置表示方法、商品推奨陳列位置表示プログラムを提供することを目的とする。
【課題を解決するための手段】
【００１１】
本発明による商品推奨陳列位置表示システムは、商品の陳列を推奨する位置である商品推奨陳列位置を特定する情報である商品推奨陳列位置情報を記憶する商品情報表示記憶手段と、商品情報表示記憶手段が記憶している商品推奨陳列位置情報を読み出す商品情報読出手段と、商品情報読出手段が読み出した商品推奨陳列位置情報を表示する商品推奨陳列位置表示手段とを備えたことを特徴とする。
【００１２】
商品情報表示記憶手段は、一の商品に対応する複数の商品推奨陳列位置情報を記憶してもよい。そのような構成によれば、商品情報表示記憶手段は、商品の陳列が最も推奨される位置の他に、例えば、商品の陳列が２番目以降に推奨される位置を記憶することができる。
【００１３】
商品情報表示記憶手段が記憶する商品推奨陳列位置情報は、商品の陳列を推奨しない位置を特定する情報を含んでもよい。そのような構成によれば、商品情報表示記憶手段は、商品の陳列を推奨しない位置の情報を記憶することができる。
【００１４】
商品情報表示記憶手段は、商品の名前と価格との情報である商品情報を表示するプライスカードと、商品推奨陳列位置情報を記憶するＲＦＩＤタグとを含んでもよい。そのような構成によれば、商品情報表示記憶手段に接触することなく、商品推奨陳列位置情報を読み出すことができる。
【００１５】
商品情報読出手段はＲＦＩＤタグが送信する情報を受信する機能を有してもよい。そのような構成によれば、商品情報表示記憶手段が出力する情報を受信することができる。
【００１６】
プライスカードは、書き換え式リライトカードであってもよい。そのような構成によれば、プライスカードに印字してある情報の書き換えが可能となるため、商品のモデルチェンジ等によって商品情報が変更されても、商品情報を書き換えてプライスカードを再利用することができる。
【００１７】
商品推奨陳列位置表示手段は、店舗の入り口の位置と精算機の位置と商品陳列棚の位置とを含む店舗内図を予め記憶してもよく、商品情報読出手段が読み出した商品推奨陳列位置情報にもとづいて、商品推奨陳列位置を、店舗内図において他の陳列位置と表示態様を変えて表示してもよい。そのような構成によれば、店員は、商品推奨陳列位置を視覚的に認識することができる。
【００１８】
商品の陳列位置と販売実績との関係にもとづいて商品を多く販売することができる陳列位置を特定し、特定した陳列位置を商品の陳列を推奨する陳列位置として商品推奨陳列位置情報を生成する商品推奨陳列位置情報生成手段を備えてもよい。そのような構成によれば、商品の陳列位置と販売実績との関係にもとづいて、商品推奨陳列位置情報を生成することができる。
【００１９】
本発明による商品推奨陳列位置表示方法は、商品の陳列を推奨する位置である商品推奨陳列位置を特定する情報である商品推奨陳列位置情報を記憶媒体に記憶させ、記憶媒体が記憶している商品推奨陳列位置情報を読み出し、読み出した商品推奨陳列位置情報を表示することを特徴とする。
【００２０】
本発明による商品推奨陳列位置表示プログラムは、商品の陳列を推奨する位置である商品推奨陳列位置を特定する情報である商品推奨陳列位置情報を表示手段に表示させる商品推奨陳列位置表示プログラムであって、コンピュータに、記憶手段が記憶している商品推奨陳列位置情報を読み出させ、読み出した商品推奨陳列位置情報を表示手段に表示させることを特徴とする。
【発明の効果】
【００２１】
本発明によれば、チェーンストアグループの本部が商品情報表示記憶手段に各商品の推奨陳列位置を記憶させることができるため、店舗は、商品陳列の位置をチェーンストアグループの本部が推奨する陳列位置に商品を陳列することができる。そのため、店舗は、商品情報表示記憶手段が記憶している情報を読み取るという簡単な作業を行って、商品情報表示記憶手段が記憶している商品推奨陳列位置情報にもとづいた位置に商品を陳列することにより、商品の販売実績を向上させることができる。
【発明を実施するための最良の形態】
【００２２】
以下、本発明の実施の形態を図面を参照して説明する。図１は、本発明の実施の形態を説明する説明図である。本発明による商品推奨陳列位置表示システムは、チェーンストアグループに属する店舗に設置され、商品名および価格の情報である商品情報を表示し、商品１００の推奨陳列位置を記憶する商品情報記憶部（商品情報表示記憶手段）１０１と、商品情報記憶部１０１が記憶している情報を読み取る商品情報読出部（商品情報読出手段）１０２と、商品情報読出部１０２が読み取った情報を表示する商品推奨陳列位置表示部（商品推奨陳列位置表示手段）１０３とを含む。
【００２３】
商品情報記憶部１０１は、商品情報を表示し、店舗の商品担当者が商品に対応する商品陳列棚に貼付して顧客に商品情報を提示する。倉庫の商品担当者は、商品情報記憶部１０１を、倉庫から店舗に商品１００を送付する際に商品１００とともに送付する。
【００２４】
図２は、商品情報記憶部１０１の一例を示す説明図である。商品情報記憶部１０１は、商品名を表示する商品名表示部２０１と、商品１００を特定する情報および商品１００の推奨陳列位置を記憶するＲＦＩＤタグ２０２と、商品１００の価格を表示する商品価格表示部２０３とを含む。なお、以下に記すプライスカードとは、商品名表示部２０１が表示する情報と、商品価格表示部２０３が表示する情報とを表示する、例えば、紙等の媒体である。
【００２５】
ＲＦＩＤタグ２０２は、商品コード情報および商品推奨陳列位置情報を記憶している。商品コード情報とは、その商品を特定する情報である。具体的には、例えば、商品１００に記載されているＪＡＮ（Ｊａｐａｎｅｓｅ  Ａｒｔｉｃｌｅ  Ｎｕｍｂｅｒ）コードのバーコードが含む情報である。
【００２６】
商品推奨陳列位置情報とは、例えば、チェーンストアグループの本部に設置されたコンピュータとコンピュータが実行するプログラムとによって実現される商品推奨陳列位置情報生成部（商品推奨陳列位置情報生成手段）が、各店舗から集めた商品１００の陳列位置と販売実績との関係を分析して、より多く商品１００を販売できる店舗内の陳列位置を特定する情報である。商品１００の陳列位置と販売実績との関係の分析とは、例えば、ポテトチップスを、店舗の入り口付近の商品陳列棚に陳列した場合と、精算機（レジスタ）付近の商品陳列棚に陳列した場合と、店舗の中程の商品陳列棚に陳列した場合とにおいて、どの位置の商品陳列棚にポテトチップスを陳列するとポテトチップスの販売量がより多いかを比較して特定することである。例えば、ポテトチップスを店舗の中程の商品陳列棚に陳列した場合にポテトチップスの販売量が最も多い場合、商品推奨陳列位置情報生成部は、店舗の中程の商品陳列棚を商品推奨陳列位置として商品推奨陳列位置情報を生成する。また、例えば、チューインガムを精算機付近の商品陳列棚に陳列した場合にチューインガムの販売量が最も多い場合、商品推奨陳列位置情報生成部は、精算機付近の商品陳列棚を商品推奨陳列位置として商品推奨陳列位置情報を生成する。
【００２７】
商品推奨陳列位置情報生成部は、商品推奨陳列位置情報を生成し、ＲＦＩＤタグ２０２に記憶させる。商品推奨陳列位置情報生成部は、商品１００に類似する従来の他の商品の陳列位置と販売実績との関係を分析して、商品１００の商品推奨陳列位置情報を生成してもよい。ＲＦＩＤタグ２０２は、プライスカードに付随している。商品担当者は、チェーンストアグループの本部または倉庫でプライスカードにＲＦＩＤタグ２０２を付随させて商品情報記憶部１０１を作成する。ＲＦＩＤタグ２０２は、商品推奨陳列位置情報をコード化して記憶していてもよい。
【００２８】
ここで、ＲＦＩＤタグ２０２をプライスカードに付随させる方法として、プライスカードにＲＦＩＤタグ２０２を貼り付ける方法がある。また、ＲＦＩＤタグ２０２がプライスカードを挟み付ける機構を有し、その機構によってプライスカードに挟み付いたりしていてもよい。図３にそのような機構を説明する説明図を示す。図３に示すように、ＲＦＩＤタグ２０２をプライスカードに挟み付けていてもよい。また、プライスカードがＲＦＩＤタグ２０２をつり下げる、例えばビニール製の袋を有し、その袋の中にＲＦＩＤタグ２０２を挿入してもよい。さらに、プライスカードがＲＦＩＤタグ２０２を内蔵していてもよい。すなわち、ＲＦＩＤタグ２０２がプライスカードに付随するとは、ＲＦＩＤタグ２０２がプライスカードに付属していることが明らかな状態をいう。なお、ＲＦＩＤタグを印刷によって付随させる技術が確立すれば、プライスカードの印刷の工程で、ＲＦＩＤタグ２０２をプライスカードに付随させることも可能である。
【００２９】
なお、図２のプライスカードは、図６のプライスカードのバーコード３０２の代わりにＲＦＩＤタグ２０２が付随しているが、プライスカードにはバーコード３０２が印刷されていてもよい。
【００３０】
商品情報読出部１０２は、ＲＦＩＤタグ２０２が記憶している商品コード情報と商品推奨陳列位置情報とを読み出して、商品推奨陳列位置表示部１０３に出力する。商品情報読出部１０２にＲＦＩＤタグ２０２が記憶している情報を読み出すリーダを用いると、バーコード３０２を用いた場合に比べ、例えば、数十ｃｍ程度離れていても読み出すことができる。また、複数の商品情報記憶部１０１に付随している各ＲＦＩＤタグ２０２が記憶している情報を同時に読み出すことができる。
【００３１】
商品推奨陳列位置表示部１０３は、商品を特定する情報、商品の写真、商品名、および商品の価格を対応付けて記憶している。また、商品推奨陳列位置表示部１０３は、店舗内の各商品陳列棚を特定する概略図（店舗内図）を記憶している。商品推奨陳列位置表示部１０３は、商品コード情報が入力されると、商品コード情報にもとづいて商品１００を特定し、特定した商品１００に対応付けられた商品１００の写真、商品名、および商品１００の価格を表示する。また、商品推奨陳列位置表示部１０３は、商品推奨陳列位置情報が入力されると、商品１００の陳列を推奨する店舗内の位置、およびその位置における商品陳列棚のうちどの高さの棚に陳列すべきかを表示する。図４は、商品推奨陳列位置表示部１０３が表示する画面の一例を示す説明図である。図４の例では、商品１００を店舗内の黒く表示した位置の商品陳列棚の中段に陳列することを推奨している。
【００３２】
商品推奨陳列位置情報は、商品１００の陳列が最も推奨される位置の他に、例えば、商品１００の陳列が２番目に推奨される位置、または商品１００の陳列を推奨しない位置等の情報を含んでもよく、また、例えば、２段目の陳列棚の左側等、陳列棚上のより詳細な位置の情報を含んでもよい。商品１００の陳列を推奨しない位置とは、例えば、ポテトチップスを、店舗の入り口付近の商品陳列棚に陳列した場合と、精算機（レジスタ）付近の商品陳列棚に陳列した場合と、店舗の中程の商品陳列棚に陳列した場合とにおいて、ポテトチップスの販売量がより少ない位置である。例えば、ポテトチップスを店舗の入り口付近の商品陳列棚に陳列した場合にポテトチップスの販売量が最も少ない場合、商品推奨陳列位置情報生成部は、店舗の入り口付近の商品陳列棚を商品１００の陳列を推奨しない位置として商品推奨陳列位置情報を生成する。ＲＦＩＤタグ２０２はそのような情報を記憶してもよく、商品推奨陳列位置表示部１０３はそのような情報を表示してもよい。
【００３３】
チェーンストアグループの本部に設置されているサーバが記憶しているデータベースは、商品推奨陳列位置情報を記憶していてもよく、商品担当者がサーバに接続され、店舗に設置されている端末に商品を特定する情報である商品コードを入力すると、商品推奨陳列位置情報を端末に表示してもよい。
【００３４】
プライスカードは、例えばロイコカードのような、書き換え式リライトカードを用いて実現してもよい。また、ＲＦＩＤタグ２０２が記憶している情報の読み出しは、ＲＦＩＤリーダを内蔵した携帯型端末が行ってもよい。
【００３５】
なお、この実施の形態では、プライスカードに付随する記憶媒体としてＲＦＩＤタグを例示するが、プライスカードに付随する記憶媒体はＲＦＩＤタグに限られず、ＩＣカードやその他の、プライスカードに付されることが可能であり、情報を記憶でき、かつ、読出手段によって情報が読み出されるように形成できる他の記憶手段を採用してもよい。
【００３６】
商品推奨陳列位置表示部１０３は、サーバ等のコンピュータによって実現され、コンピュータに、記憶手段が記憶している商品推奨陳列位置情報を読み出させ、読み出した商品推奨陳列位置情報を表示手段に表示させる商品陳列位置表示プログラムを搭載する。
【００３７】
次に、本発明の動作について説明する。図５は、本発明の動作を説明するフローチャートである。
【００３８】
まず、チェーンストアグループの本部の商品担当者がチェーンストアグループの本部または倉庫等において、プライスカードを作成する（ステップＳ１０１）。このとき、プライスカードに付随するＲＦＩＤタグ２０２に商品推奨陳列位置情報を記憶させる。次に、作成したプライスカードにＲＦＩＤタグ２０２を付随させ、商品１００とともに店舗に送付する（ステップＳ１０２）。商品１００とプライスカードとＲＦＩＤタグ２０２とが店舗に入荷すると、店舗の商品担当者は検品作業を行う（ステップＳ１０３、Ｓ１０４）。店舗の商品担当者は、商品情報読出部１０２を操作して、プライスカードに付随しているＲＦＩＤタグ２０２が記憶している情報を読み出し、商品推奨陳列位置情報を商品推奨陳列位置表示部１０３に表示させる（ステップＳ１０５、Ｓ１０６）。
【００３９】
店舗の商品担当者は、商品推奨陳列位置表示部１０３に表示された商品推奨陳列位置情報にもとづいた位置に商品１００を陳列し、商品１００を陳列した位置に対応する商品陳列棚にプライスカードを貼付する（ステップＳ１０７）。
【００４０】
ここで、商品推奨陳列位置情報を生成する際の商品推奨陳列位置情報生成部の動作について説明する。図６は、商品推奨陳列位置情報を生成する際の商品推奨陳列位置情報生成部の動作を説明するフローチャートである。
【００４１】
商品推奨陳列位置情報生成部は、一の商品において、陳列位置による販売実績の差を比較する（ステップＳ２０１）。そして、最も販売量の多い陳列位置を抽出する（ステップＳ２０２）。商品推奨陳列位置情報生成部は、抽出した陳列位置を商品推奨陳列位置として商品推奨陳列位置情報を生成する（ステップＳ２０３）。
【００４２】
次に、商品推奨陳列位置表示部１０３の動作について説明する。図７は、商品推奨陳列位置表示部１０３の動作を説明するフローチャートである。
【００４３】
商品推奨陳列位置表示部１０３は、商品コード情報が入力されると、商品コード情報にもとづいて商品１００を特定する（ステップＳ３０１）。そして、特定した商品１００に対応付けられた商品１００の写真、商品名、および価格を表示する（ステップＳ３０２）。また、商品推奨陳列位置表示部１０３は、商品推奨陳列位置情報が入力されると、店舗内図において、商品１００の陳列を推奨する店舗内の位置、およびその位置における商品陳列棚のうちどの高さの棚に陳列すべきかの情報である商品推奨陳列位置を表示する（ステップＳ３０３）。そのような表示の例を図４に示す。
【００４４】
本発明の実施の形態によれば、チェーンストアグループの本部がプライスカードに付随しているＲＦＩＤタグ２０２に商品推奨陳列位置情報を記憶させることができるため、店舗は、商品推奨陳列位置情報にもとづいた位置に商品１００を陳列することができる。そのため、店舗は、プライスカードに付随しているＲＦＩＤタグ２０２が記憶している商品推奨陳列位置情報を商品情報読出部１０２を操作して読み出すという簡単な作業を行って商品１００を陳列することにより、商品１００の販売実績を向上させることができる。
【産業上の利用可能性】
【００４５】
本発明によれば、チェーンストアグループの本部が、店舗に、商品を陳列する位置を指示することができる。
【図面の簡単な説明】
【００４６】
【図１】本発明の実施の形態を説明する説明図である。
【図２】本発明による商品情報記憶部の一例を示す説明図である。
【図３】ＲＦＩＤタグをプライスカードに付随させる方法の一例を示す説明図である。
【図４】本発明による商品推奨陳列位置表示部が表示する画面の一例を示す説明図である。
【図５】本発明の動作を説明するフローチャートである。
【図６】本発明による商品推奨陳列位置情報生成部の動作を説明するフローチャートである。
【図７】本発明による商品推奨陳列位置表示部の動作を説明するフローチャートである。
【図８】従来のプライスカードの一例を示す説明図である。
【符号の説明】
【００４７】
１００  商品
１０１  商品情報記憶部
１０２  商品情報読出部
１０３  商品推奨陳列位置表示部
２０１  商品名表示部
２０２  ＲＦＩＤタグ
２０３  商品価格表示部
３０１  商品名表示部
３０２  バーコード
３０３  商品価格表示部
【図１】
2005112530.tif 000003
【図２】
2005112530.tif 000004
【図３】
2005112530.tif 000005
【図４】
2005112530.tif 000006
【図５】
2005112530.tif 000007
【図６】
2005112530.tif 000008
【図７】
2005112530.tif 000009
【図８】
2005112530.tif 000010